(57)【要約】【課題】赤外線リモコンなどの特殊な装置を使用せずに、照明器具を遠隔操作する。【解決手段】レーザーポインターやＬＥＤライトなど（照射装置８５０）が照射した光を、受光部１１０が受光し、受光信号（電気信号）を生成する。制御信号生成部１２２は、受光部１１０が生成した受光信号に基づいて、照明点灯装置２００を制御する制御信号を生成する。制御信号により、点灯制御部１４０がオンあるいはオフすることにより、照明点灯装置２００に交流電源ＡＣからの電力が供給あるいは遮断され、ランプＬＡが点灯あるいは消灯する。【選択図】図２
2009259540.tif 000002
【特許請求の範囲】
【請求項１】
照射された光を受光し、受光した光に基づいて電気信号を生成する受光部と、
上記受光部が生成した電気信号に基づいて、照明を点灯する照明点灯装置を制御する制御信号を生成する制御信号生成部と、
上記照明が発した光を上記受光部が受光するのを防ぐ遮光部とを有することを特徴とする照明制御装置。
【請求項２】
上記受光部は、受光した光出力に基づいて電気信号を生成することを特徴とする請求項１に記載の照明制御装置。
【請求項３】
上記制御信号生成部は、上記受光部が上記光を受光した継続時間に基づいて、上記制御信号を生成することを特徴とする請求項１または請求項２のいずれかに記載の照明制御装置。
【請求項４】
上記制御信号生成部は、上記受光部が上記光を受光した継続時間が所定の時間より長い場合に、上記制御信号を生成することを特徴とする請求項３に記載の照明制御装置。
【請求項５】
上記受光部は、可視光を受光することを特徴とする請求項１乃至請求項４のいずれかに記載の照明制御装置。
【請求項６】
請求項１乃至請求項５のいずれかに記載の照明制御装置と、
上記照明制御装置が生成した制御信号に基づいて、照明を点灯する照明点灯装置とを有することを特徴とする照明器具。
【発明の詳細な説明】
【技術分野】
【０００１】
この発明は、照明を点灯する照明器具及び照明器具を制御する照明制御装置に関する。
【背景技術】
【０００２】
照明器具が消費する電力を削減するため、消費電力の少ない照明点灯装置やランプを開発するなどの努力がなされている。
【特許文献１】特開２００８−２７８２２号公報
【特許文献２】特開２００８−１０３３３号公報
【特許文献３】特開２００７−３１８５６５号公報
【特許文献４】特開２００７−２５０２６７号公報
【発明の開示】
【発明が解決しようとする課題】
【０００３】
しかし、最も効果的な省エネの実現方法は、必要のない照明を小まめに消すことである。
照明を点灯消灯するために、離れた位置にあるスイッチや引き紐を操作しなければならないとすると、そのための労力を惜しんで、照明を小まめに消すことができない場合がある。
また、専用のリモコンなどによる遠隔操作により、点灯消灯できる照明器具が開発されているが、専用のリモコンによる遠隔操作により点灯消灯できる照明器具であっても、リモコンが手元になければ、必要な労力は変わらず、かえってリモコンを探す手間が増えてしまう。
この発明は、例えば、上記のような課題を解決するためになされたものであり、従来のリモコンのような専用の装置がなくても、照明器具を遠隔操作できるようにすることを目的とする。
【課題を解決するための手段】
【０００４】
この発明にかかる照明制御装置は、照射された光を受光し、受光した光に基づいて電気信号を生成する受光部と、上記受光部が生成した電気信号に基づいて、照明を点灯する照明点灯装置を制御する制御信号を生成する制御信号生成部とを有することを特徴とする。
【発明の効果】
【０００５】
この発明にかかる照明制御装置によれば、赤外線リモコンなどの特殊な装置を使用せずに、照明器具８００を遠隔操作することができるので、照明をこまめに消すことができ、照明による電力消費を抑えることができるという効果を奏する。
【発明を実施するための最良の形態】
【０００６】
実施の形態１．
実施の形態１について、図１〜図７を用いて説明する。
【０００７】
図１は、この実施の形態における照明器具８００及び照明制御装置１００の外観を示す斜視図である。
照明器具８００は、天井などに設けられた引掛けシーリング用コンセント（図示せず）に吊り下げて、ランプＬＡを点灯するペンダント型照明である。照明器具８００は、引掛けシーリング８０１、電源コード８０２、ワイヤ８０３、セード８０４を有する。
照明制御装置１００は、照明器具８００の引掛けシーリング８０１と、引掛けシーリング用コンセントとの間に設置する。照明制御装置１００は、受光部１１０を有する。
【０００８】
図２は、この実施の形態における照明器具８００及び照明制御装置１００の機能ブロックの構成を示すブロック構成図である。
照明器具８００は、照明点灯装置２００を有する。照明点灯装置２００は、商用電源などの交流電源ＡＣから電力の供給を受けて、ランプＬＡを点灯する。
照明制御装置１００は、照射装置８５０が照射した光を受光して、照明器具８００のオンオフを制御する。
照射装置８５０は、例えば、レーサーポインタなどの可視光レーザや、ＬＥＤライトや、懐中電灯など、利用者の手に入りやすい汎用の装置であり、特定の方向に光を照射する。利用者は、照射装置８５０を用いて、照明制御装置１００の受光部１１０を照らすことにより、照明器具８００をオンオフする。このため、赤外線リモコンなどの特殊な装置がなくても、照明器具８００を遠隔操作することができる。
【０００９】
照明制御装置１００は、受光部１１０、マイコン１２０、点灯制御部１４０を有する。
受光部１１０は、可視光レーザーを用いたレーザーポインタやＬＥＤライトや懐中電灯などの照射装置８５０が照射した光（光信号）を受光して、受光した光出力（以下「受光レベル」と呼ぶ。）に基づいて、電気信号（以下「受光信号」と呼ぶ。）を生成し、出力する。例えば、受光部１１０は、受光信号として、受光レベルに比例する電位を有するアナログ信号を生成してもよいし、受光レベルが所定の閾値より強いか弱いかを示す電位を有するデジタル信号を生成してもよい。また、受光部１１０は特定の波長の光（例えば、赤外線や特定の色の可視光線など）にのみ反応して、特定の波長の光の受光レベルに基づく受光信号を生成してもよいし、所定の範囲の波長の光（例えば、可視光線など）に反応して、受光信号を生成してもよい。
なお、受光部１１０が受光する光が可視光線一般である場合、受光レベルが高い（光出力が大きい）とは、受光した光の明るさが明るいことであり、受光部１１０が受光する光が赤外線など特定の波長の光に限られる場合、受光レベルが高い（光出力が大きい）とは、受光した波長の光が強いことである。
【００１０】
マイコン１２０は、ＲＯＭなどの記憶装置（図示せず）が記憶したプログラムを実行することにより、信号判定部１２１及び制御信号生成部１２２を実現する。なお、信号判定部１２１及び制御信号生成部１２２は、マイコン１２０を用いて実現するのではなく、アナログ回路またはデジタル回路またはアナログデジタル混成回路などにより実現してもよい。
信号判定部１２１（信号判定回路部）は、受光部１１０が生成した受光信号に基づいて、判定信号を生成する。利用者が間違って受光部１１０を照らしてしまった場合などに、照明制御装置１００が反応しないようにするため、信号判定部１２１は、受光信号が表す受光レベルが、所定の時間より長く高いレベルだった場合に、受光が有効であると判定する。判定信号は、信号判定部１２１の判定結果を表わす信号であり、受光が有効か無効かを表す。また、受光が有効であると判定した場合、信号判定部１２１は、所定の時間が経過するまでの間、有効を表わす判定信号を生成する。
制御信号生成部１２２は、受光信号に基づいて信号判定部１２１が生成した判定信号に基づいて、制御信号を生成する。制御信号は、照明点灯装置２００のオンオフを制御する信号である。
点灯制御部１４０（スイッチ部）は、制御信号生成部１２２が生成した制御信号に基づいて、照明点灯装置２００のオンオフを制御する。例えば、点灯制御部１４０は、交流電源ＡＣから見て、照明点灯装置２００と直列に電気接続したスイッチを有し、制御信号に基づいて、スイッチをオンオフすることにより、照明点灯装置２００のオンオフを制御する。これにより、ランプＬＡが点灯あるいは消灯する。
【００１１】
図３は、この実施の形態における受光部１１０の構造を示す断面図である。
受光部１１０は、基板１１１、受光素子１１２、遮光部１１３、開口部１１４を有する。基板１１１は、受光素子１１２やその他の素子などを実装するプリント配線板である。受光素子１１２は、例えばフォトダイオードなど、受光した光を電気信号に変換する素子である。遮光部１１３は、机上で反射した光など意図しない光によって照明制御装置１００がランプＬＡを点灯消灯しないよう、所定の方向以外から受光素子１１２に入る光を遮断する。開口部１１４は、所定の方向からの光が受光素子１１２に到達するよう、遮光部１１３に設けられた円形の貫通穴である。開口部１１４を通って受光素子１１２に到達する光は、例えば、３０度以内の範囲に制限する。
【００１２】
図４は、この実施の形態における信号判定部１２１が、判定信号を生成する信号判定処理の流れを示すフローチャート図である。
【００１３】
初期化工程Ｓ６１１において、信号判定部１２１は、受光レベルが低いことを表わす判定信号（以下「“Ｌ”」と呼ぶ。）を生成し、出力する。
【００１４】
受光開始判定工程Ｓ６１２において、信号判定部１２１は、受光部１１０が出力した受光信号を入力し、入力した受光信号に基づいて、受光レベルが高いか低いかを判定する。
受光レベルが低いと判定した場合、受光開始判定工程Ｓ６１２を繰り返す。
受光レベルが高いと判定した場合、受光開始工程Ｓ６１３へ進む。
【００１５】
受光開始工程Ｓ６１３において、信号判定部１２１は、タイマー回路などを用いて、経過時間の測定を開始する。
【００１６】
受光継続判定工程Ｓ６１４において、信号判定部１２１は、受光部１１０が出力した受光信号を入力し、入力した受光信号に基づいて、受光レベルが高いか低いかを判定する。
受光レベルが低いと判定した場合、受光開始判定工程Ｓ６１２に戻る。
受光レベルが高いと判定した場合、受光時間判定工程Ｓ６１５へ進む。
【００１７】
受光時間判定工程Ｓ６１５において、信号判定部１２１は、受光開始工程Ｓ６１３で経過時間の測定を開始してからの経過時間を、所定の時間と比較する。
所定の時間がまだ経過していない場合、受光継続判定工程Ｓ６１４に戻る。
所定の時間が経過した場合、判定信号開始工程Ｓ６１６へ進む。
【００１８】
判定信号開始工程Ｓ６１６において、信号判定部１２１は、受光レベルが高いことを表わす判定信号（以下「“Ｈ”」と呼ぶ。）を生成し、出力する。
【００１９】
出力開始工程Ｓ６１７において、信号判定部１２１は、タイマー回路などを用いて、経過時間の測定を開始する。
【００２０】
出力時間判定工程Ｓ６１８において、信号判定部１２１は、出力開始工程Ｓ６１７で経過時間の測定を開始してからの経過時間を、所定の時間（受光時間判定工程Ｓ６１５における所定の時間と同じでもよいし、異なっていてもよい）と比較する。
所定の時間がまだ経過していない場合、出力時間判定工程Ｓ６１８を繰り返す。
所定の時間が経過した場合、判定信号終了工程Ｓ６１９へ進む。
【００２１】
判定信号終了工程Ｓ６１９において、信号判定部１２１は、判定信号“Ｌ”を生成し、出力する。
【００２２】
受光終了判定工程Ｓ６２０において、信号判定部１２１は、受光部１１０が出力した受光信号を入力し、入力した受光信号に基づいて、受光レベルが高いか低いかを判定する。
受光レベルが高いと判定した場合、受光終了判定工程Ｓ６２０を繰り返す。
受光レベルが低いと判定した場合、受光開始判定工程Ｓ６１２に戻る。
【００２３】
図５は、この実施の形態における制御信号生成部１２２が、判定信号の独立したパルスを判定するパルス判定処理の流れを示すフローチャート図である。
【００２４】
終了判定工程Ｓ６９１において、制御信号生成部１２２は、信号判定部１２１が出力した判定信号を入力し、入力した判定信号が“Ｈ”か“Ｌ”かを判定する。
判定信号が“Ｈ”であると判定した場合、終了判定工程Ｓ６９１を繰り返す。
判定信号が“Ｌ”であると判定した場合、開始判定工程Ｓ６９２へ進む。
【００２５】
開始判定工程Ｓ６９２において、制御信号生成部１２２は、信号判定部１２１が出力した判定信号を入力し、入力した判定信号が“Ｈ”か“Ｌ”かを判定する。
判定信号が“Ｌ”であると判定した場合、開始判定工程Ｓ６９２を繰り返す。
判定信号が“Ｈ”であると判定した場合、パルス判定処理を終了する。
【００２６】
図６は、この実施の形態における制御信号生成部１２２が、制御信号を生成する制御信号生成処理の流れを示すフローチャート図である。
【００２７】
消灯工程Ｓ６５１において、制御信号生成部１２２は、照明点灯装置２００をオフする制御信号（以下「“消灯”」と呼ぶ。）を生成し、出力する。
パルス判定工程Ｓ６５８において、制御信号生成部１２２は、上述したパルス判定処理をする。
点灯工程Ｓ６６１において、制御信号生成部１２２は、照明点灯装置２００をオンする制御信号（以下「“点灯”」と呼ぶ。）を生成し、出力する。
パルス判定工程Ｓ６６８において、制御信号生成部１２２は、再びパルス判定処理をする。その後、消灯工程Ｓ６５１に戻る。
【００２８】
図７は、この実施の形態における照明制御装置１００の動作の一例を示すタイミング図である。
【００２９】
時刻ｔ１において、受光部１１０は、光を受光し、受光レベルが高いことを表わす受光信号を生成する。信号判定部１２１は、受光開始判定工程Ｓ６１２で受光レベルが高いと判定し、受光開始工程Ｓ６１３で経過時間の測定を始める。
時刻ｔ２において、信号判定部１２１は、受光時間判定工程Ｓ６１５で所定の時間が経過したと判定し、判定信号を“Ｈ”にする。制御信号生成部１２２は、パルス判定工程Ｓ６５８の開始判定工程Ｓ６９２で判定信号の独立したパルスが開始したと判定し、時刻ｔ３において、点灯工程Ｓ６６１で制御信号を“点灯”にする。これにより、点灯制御部１４０がスイッチをオンにし、照明点灯装置２００に交流電源ＡＣからの電源が供給されて、ランプＬＡが点灯する。
【００３０】
時刻ｔ４において、信号判定部１２１は、出力時間判定工程Ｓ６１８で所定の時間が経過したと判定し、判定信号を“Ｌ”にする。制御信号生成部１２２は、パルス判定工程Ｓ６６８の終了判定工程Ｓ６９1で判定信号の独立したパルスが終了したと判定する。
時刻ｔ５において、受光部１１０は、光の受光を終了し、受光レベルが低いことを表わす受光信号を生成する。信号判定部１２１は、受光終了判定工程Ｓ６２０で一続きの受光が終わったと判定し、受光開始判定工程Ｓ６１２で次の受光を待つ。
【００３１】
時刻ｔ６において、受光部１１０は、光を受光し、受光レベルが高いことを表わす受光信号を生成する。信号判定部１２１は、受光開始判定工程Ｓ６１２で受光レベルが高いと判定し、経過時間の測定を始める。
時刻ｔ７において、受光部１１０は、光の受光を終了し、受光レベルが低いことを表わす受光信号を生成する。信号判定部１２１は、受光継続判定工程Ｓ６１４で所定時間が経過する前に受光レベルが低くなったと判定し、受光開始判定工程Ｓ６１２で次の受光を待つ。
【００３２】
時刻ｔ８において、受光部１１０は、光を受光し、受光レベルが高いことを表わす受光信号を生成する。信号判定部１２１は、受光開始判定工程Ｓ６１２で受光レベルが高いと判定し、経過時間の測定を始める。
時刻ｔ９において、信号判定部１２１は、受光時間判定工程Ｓ６１５で所定の時間が経過したと判定し、判定信号を“Ｈ”にする。制御信号生成部１２２は、パルス判定工程Ｓ６５８の開始判定工程Ｓ６９２で判定信号の独立したパルスが開始したと判定し、時刻ｔ１０において、点灯工程Ｓ６６１で制御信号を“消灯”にする。これにより、点灯制御部１４０がスイッチをオフにし、照明点灯装置２００に対する交流電源ＡＣからの電源の供給が停止して、ランプＬＡが消灯する。
【００３３】
時刻ｔ１１において、受光部１１０は、光の受光を終了し、受光レベルが低いことを表わす受光信号を生成する。
時刻ｔ１２において、信号判定部１２１は、出力時間判定工程Ｓ６１８で所定の時間が経過したと判定し、判定信号を“Ｌ”にする。制御信号生成部１２２は、パルス判定工程Ｓ６６８の終了判定工程Ｓ６９1で判定信号の独立したパルスが終了したと判定する。また、信号判定部１２１は、受光終了判定工程Ｓ６２０で一続きの受光が終わったと判定し、受光開始判定工程Ｓ６１２で次の受光を待つ。
【００３４】
照明制御装置１００がこのように照明器具８００を制御することにより、利用者は、照射装置８５０を使用して、照明器具８００のオンオフを制御することができる。
【００３５】
この実施の形態における照明制御装置１００は、照射された光を受光し、受光した光に基づいて電気信号（受光信号）を生成する受光部１１０と、上記受光部１１０が生成した電気信号に基づいて、照明（ランプＬＡ）を点灯する照明点灯装置２００を制御する制御信号を生成する制御信号生成部１２２とを有するので、赤外線リモコンなどの特殊な装置を使用せずに、照明器具８００を遠隔操作することができるという効果を奏する。
【００３６】
受光部１１０が可視光を受光して、受光した可視光の強さに基づいて受光信号を生成する構成とすれば、照明器具８００に対する遠隔操作を、利用者が自分の目で目視確認することができるという効果を奏する。特に、複数の照明器具８００がある場合、どの照明器具８００を遠隔操作しているかが、容易に把握できるという効果を奏する。
【００３７】
また、受光部１１０が可視光だけでなく赤外線も含む光を受光して、受光した光の強さに基づいて受光信号を生成する構成とすれば、テレビやエアコンなどを操作するための赤外線リモコンでも照明器具８００の遠隔操作が可能になるという効果を奏する。
【００３８】
受光部１１０が受光した光出力（受光レベル、明るさ、強度）に基づいて電気信号を生成する構成とすれば、照射装置８５０は、赤外線リモコンのように特殊な変調をされた信号を送信する装置である必要がなく、一般に多数流通しているレーザーポインターやＬＥＤライトなどを使うことができるという効果を奏する。
【００３９】
この実施の形態における制御信号生成部１２２は、上記受光部１１０が上記光を受光した継続時間に基づいて、上記制御信号を生成するので、誤操作を防ぐことができるという効果を奏する。
【００４０】
この実施の形態における制御信号生成部１２２は、上記受光部１１０が上記光を受光した継続時間が所定の時間より長い場合に、上記制御信号を生成するので、受光した継続時間が短い場合には、制御信号を生成せず、誤操作を防ぐことができるという効果を奏する。
【００４１】
なお、受光部１１０が受光した光の受光レベルが所定の閾値より高い状態が継続している場合において、信号判定部１２１は、受光レベルに大きな変動があるか否かを判定してもよい。その場合、信号判定部１２１は、受光レベルに大きな変動がなく、ほぼ一定である状態が所定の時間より長く継続している場合に、受光が有効であると判定する。利用者が照明器具８００を操作するために照射装置８５０を用いて受光部１１０を照らした場合には、受光レベルはほぼ一定になるのに対し、なんらかの偶発的な要因によって受光レベルが高くなった場合には、受光レベルが所定の閾値よりも高い状態が継続したとしても、その間の受光レベルには変動があると考えられるからである。
このように、受光レベルが高い状態が継続した時間だけでなく、受光レベルが高い状態で安定している時間に基づいて、受光が有効か否かを判定すれば、誤検出を減らすことができる。また、この判定方法によれば、誤検出が少ないので、受光レベルが高いか否かを判定する閾値を、比較的低く設定してもよい。一般に流通しているレーザーポインターやＬＥＤライトなどの明るさはまちまちなので、比較的暗いレーザーポインターやＬＥＤライトを照射装置８５０として利用する場合もある。受光レベルが高いか否かを判定する閾値を比較的低く設定しておけば、そのような照射装置８５０を利用した場合でも、照明器具８００を操作することが可能となる。
【００４２】
以上のように、この実施の形態における照明制御装置１００は、赤外線リモコンなどの特殊な装置を使用せずに、照明器具８００を遠隔操作することができるので、小まめに照明を消すことができ、省エネ効果を高めることができる。
また、オフィスや施設など複数の照明器具がある場合であっても、特定の照明器具だけを確実に遠隔操作できる。
更に、オフィスのように、複数の照明器具に対して複数の利用者がいる場合、照射装置８５０が安価であるため、各利用者が照射装置８５０を持つことができる。したがって、無駄な照明の点灯に気づいた利用者が、すぐに照明を消すことができ、省エネ効果を更に高めることができる。
【００４３】
また、照明制御装置１００は、安価かつ簡単な回路構成で実現できるので、照明制御装置１００の製造コストを抑えることができ、費用対効果が非常に高い。
【００４４】
実施の形態２．
実施の形態２について、図８〜図１２を用いて説明する。
図８は、この実施の形態における照明器具８００の外観を示す斜視図である。
照明器具８００は、天井などに設けられた引掛けシーリング型コンセント（図示せず）に取り付けるシーリング型照明である。照明器具８００は、照明制御装置１００と一体であり、受光部１１０を有する。
【００４５】
図９は、この実施の形態における照明器具８００の内部構造を示す分解斜視図である。
照明器具８００は、セード８０４、本体８０５、アダプタ８０６を有する。
本体８０５は、環状蛍光灯などのランプＬＡ１や、豆球などの保安灯ＬＡ２を取り付け、内部に照明点灯装置２００（図示せず）を有する。本体８０５は、アダプタ８０６により引掛けシーリング８０１に固定されるとともに、交流電源ＡＣからの電力を引掛けシーリング８０１を介して入力し、内部の照明点灯装置２００に供給する。
【００４６】
図１０は、この実施の形態における照明器具８００の機能ブロックの構成を示すブロック構成図である。
なお、実施の形態１で説明したブロックと共通する部分については、同一の符号を付し、ここでは説明を省略する。
照明器具８００は、照明制御装置１００、照明点灯装置２００を有する。照明点灯装置２００は、交流電源ＡＣから電力の供給を受けて、ランプＬＡ１を点灯する。
照明制御装置１００は、受光部１１０、マイコン１２０（信号判定部１２１、制御信号生成部１２２）、点灯制御部１４０を有する。
点灯制御部１４０は、２つのスイッチ１４１，１４２を有する。スイッチ１４１は、交流電源ＡＣから見て、照明点灯装置２００と直列に電気接続している。スイッチ１４１がオンになると、照明点灯装置２００に交流電源ＡＣからの電力が供給されて、ランプＬＡ１が点灯し、スイッチ１４１がオフになると、照明点灯装置２００に交流電源ＡＣからの電力の供給が遮断され、ランプＬＡ１が消灯する。スイッチ１４２は、交流電源ＡＣから見て、保安灯ＬＡ２と直列に電気接続し、スイッチ１４２と保安灯ＬＡ２との直列回路と、スイッチ１４１と照明点灯装置２００との直列回路とは、交流電源ＡＣから見て、並列に電気接続している。スイッチ１４２がオンになると、保安灯ＬＡ２に交流電源ＡＣからの電力が供給されて、保安灯ＬＡ２が点灯し、スイッチ１４２がオフになると、保安灯ＬＡ２に交流電源ＡＣからの電力の供給が遮断されて、保安灯ＬＡ２が消灯する。
制御信号生成部１２２は、信号判定部１２１が生成した判定信号に基づいて、スイッチ１４１及びスイッチ１４２をそれぞれ独立にオンオフする制御信号を生成する。
【００４７】
図１１は、この実施の形態における制御信号生成部１２２が、制御信号を生成する制御信号生成処理の流れを示すフローチャート図である。
【００４８】
消灯工程Ｓ６５２において、制御信号生成部１２２は、スイッチ１４１及びスイッチ１４２をともにオフする制御信号（以下「“消灯”」と呼ぶ。）を生成し、出力する。
パルス判定工程Ｓ６５８において、制御信号生成部１２２は、実施の形態１で説明したパルス判定処理をする。
ランプ点灯工程Ｓ６６２において、制御信号生成部１２２は、スイッチ１４１をオン、スイッチ１４２をオフする制御信号（以下「“ランプ点灯”」と呼ぶ。）を生成し、出力する。
パルス判定工程Ｓ６６８において、制御信号生成部１２２は、パルス判定処理をする。
保安灯点灯工程Ｓ６７２において、制御信号生成部１２２は、スイッチ１４１をオフ、スイッチ１４２をオンする制御信号（以下「“保安灯点灯”」と呼ぶ。）を生成し、出力する。
パルス判定工程Ｓ６７８において、制御信号生成部１２２は、パルス判定処理をする。
その後、消灯工程Ｓ６５２に戻る。
【００４９】
図１２は、この実施の形態における照明器具８００の動作の一例を示すタイミング図である。
【００５０】
時刻ｔ１において、受光部１１０は、光を受光し、受光レベルが高いことを表わす受光信号を生成する。信号判定部１２１は、受光レベルが高いと判定し、経過時間の測定を開始する。
時刻ｔ２において、信号判定部１２１は、所定の時間が経過したと判定し、判定信号を“Ｈ”にする。制御信号生成部１２２は、判定信号の独立したパルスが開始したと判定し、時刻ｔ３において、制御信号を“ランプ点灯”にする。これにより、スイッチ１４１がオン、スイッチ１４２がオフになり、ランプＬＡ１が点灯、保安灯ＬＡ２が消灯する。
【００５１】
時刻ｔ４において、信号判定部１２１は、判定信号を“Ｌ”にする。制御信号生成部１２２は、判定信号の独立したパルスが終了したと判定する。
時刻ｔ５において、受光部１１０は、光の受光を終了し、受光レベルが低いことを表わす受光信号を生成する。信号判定部１２１は、一続きの受光が終了したと判定する。
【００５２】
次の受光において、制御信号生成部１２２は、制御信号を“保安灯点灯”にする。
その次の受光において、制御信号生成部１２２は、制御信号を“消灯”にする。
【００５３】
このように、利用者が照射装置８５０を使って受光部１１０を照らすことにより、“ランプ点灯”→“保安灯点灯”→“消灯”を切り替えることができる。
【００５４】
なお、規定時間内に受光部１１０を何回照射したかなどにより、点灯モードを直接切り替える構成としてもよい。
あるいは、受光部を複数設け、第一の受光部が受光したときは“ランプ点灯”、第二の受光部が受光したときは“保安灯点灯”、第三の受光部が受光したときは“消灯”というように、点灯モードを直接切り替える構成としてもよい。
【００５５】
この実施の形態における照明器具８００は、照明制御装置１００と、上記照明制御装置１００が生成した制御信号に基づいて、照明（ランプＬＡ１）を点灯する照明点灯装置２００とを有するので、赤外線リモコンなどの特殊な装置を使用せずに、照明器具８００を遠隔操作することができるという効果を奏する。
これにより、小まめに照明を消すことができるので、省エネ効果が高まる。
【００５６】
また、天井に設置する照明器具においては、操作のための引き紐を設ける場合があるが、この実施の形態における照明器具８００は、そのような引き紐を設ける必要がないので、邪魔な引き紐をなくすことができ、美観に優れている。
【００５７】
実施の形態３．
実施の形態３について、図１３〜図１６を用いて説明する。
図１３は、この実施の形態における照明器具８００の外観を示す斜視図である。
照明器具８００は、放電灯などのランプＬＡを接続するランプソケット８０７を有し、ランプソケット８０７に接続したランプＬＡを点灯する。照明器具８００は、ランプＬＡを点灯する明るさを変える調光機能を有する。実施の形態２と同様、照明器具８００は、照明制御装置１００と一体であり、受光部１１０を有する。
図１４は、この実施の形態における照明器具８００の機能ブロックの構成を示すブロック構成図である。
なお、実施の形態１で説明したブロックと共通する部分については、同一の符号を付し、ここでは説明を省略する。
【００５８】
照明器具８００は、照明制御装置１００、照明点灯装置２００を有する。
照明点灯装置２００（放電灯点灯装置）は、整流回路２１０、力率改善回路２２０、インバータ回路２３０、コイルＬ４１、コンデンサＣ４２、コンデンサＣ４３を有する。
整流回路２１０は、交流電源ＡＣから交流電圧を入力し、入力した交流電圧を整流して、脈流電圧を生成する。整流回路２１０は、例えば、ダイオードブリッジＤＢを有する。
力率改善回路２２０は、整流回路２１０が生成した脈流電圧を入力し、入力した脈流電圧を昇圧または降圧して、安定した直流電圧を生成する。力率改善回路２２０は、たとえば、チョークコイルＬ２１、スイッチング素子Ｑ２２、ダイオードＤ２３、コンデンサＣ２４、ＰＦＣ２２５を有する昇圧チョッパ回路である。
インバータ回路２３０は、力率改善回路２２０が生成した直流電圧を入力し、ランプＬＡに印加する高周波矩形波電圧を生成する。インバータ回路２３０は、例えば、スイッチング素子Ｑ３１、スイッチング素子Ｑ３２、ドライブ回路２３５を有するハーフブリッジ回路である。ドライブ回路２３５は、照明制御装置１００が生成した制御信号（以下「ドライブ信号」と呼ぶ。）を入力し、入力したドライブ信号に基づいて、スイッチング素子Ｑ３１及びスイッチング素子Ｑ３２を交互にオンオフすることにより、ドライブ信号と同じ周波数の高周波矩形波電圧を生成する。
コイルＬ４１は、ランプＬＡを流れる電流を制限するチョークコイルである。コンデンサＣ４２は、インバータ回路２３０が生成した高周波矩形波電圧の直流成分をカットする結合コンデンサである。コンデンサＣ４３は、ランプＬＡ始動時にコイルＬ４１及びコンデンサＣ４３とともに共振して、ランプＬＡのフィラメント間に高電圧を発生し、ランプＬＡの放電を開始させるための始動コンデンサである。
【００５９】
照明制御装置１００は、受光部１１０、マイコン１２０（信号判定部１２１、制御信号生成部１２２）、制御電源回路１３０を有する。
制御電源回路１３０は、整流回路２１０が生成した脈流電圧を入力し、入力した脈流電圧から、マイコン１２０を駆動するための直流電圧（以下「制御電源電圧」と呼ぶ。）を生成する。
マイコン１２０は、制御電源回路１３０が生成した制御電源電圧を電源として動作する。
制御信号生成部１２２は、信号判定部１２１が生成した判定信号に基づいて、ドライブ回路２３５が入力するドライブ信号を生成する。
【００６０】
図１５は、この実施の形態における制御信号生成部１２２が、制御信号を生成する制御信号生成処理の流れを示すフローチャート図である。
【００６１】
消灯工程Ｓ６５３において、制御信号生成部１２２は、インバータ回路２３０に高周波交流電圧の生成を停止させる制御信号（以下「“消灯”」と呼ぶ。）を生成し、出力する。これにより、ランプＬＡが消灯する。
パルス判定工程Ｓ６５８において、制御信号生成部１２２は、実施の形態１で説明したパルス判定処理をする。
予熱工程Ｓ６６３において、制御信号生成部１２２は、インバータ回路２３０に予熱周波数の交流電圧を生成させる制御信号（以下「“予熱”」と呼ぶ。）を生成し、出力する。これにより、ランプＬＡが予熱される。
始動工程Ｓ６６４において、制御信号生成部１２２は、ランプＬＡが暖まるのに十分な時間が経過したのち、インバータ回路２３０に始動周波数の交流電圧を生成させる制御信号（以下「“始動”」と呼ぶ。）を生成し、出力する。これにより、ランプＬＡが放電を開始する。
高出力点灯工程Ｓ６６５において、制御信号生成部１２２は、インバータ回路２３０に高出力点灯周波数の交流電圧を生成させる制御信号（以下「“高出力点灯”」と呼ぶ。）を生成し、出力する。これにより、ランプＬＡが一番明るい明るさで点灯する。
パルス判定工程Ｓ６６８において、制御信号生成部１２２は、パルス判定処理をする。
中出力点灯工程Ｓ６７３において、制御信号生成部１２２は、インバータ回路２３０に中出力点灯周波数の交流電圧を生成させる制御信号（以下「“中出力点灯”」と呼ぶ。）を生成し、出力する。これにより、ランプＬＡが少し暗い明るさで点灯する。
パルス判定工程Ｓ６７８において、制御信号生成部１２２は、パルス判定処理をする。
低出力点灯工程Ｓ６８３において、制御信号生成部１２２は、インバータ回路２３０に低出力点灯周波数の交流電圧を生成させる制御信号（以下「“低出力点灯”」と呼ぶ。）を生成し、出力する。これにより、ランプＬＡが一番暗い明るさで点灯する。
パルス判定工程Ｓ６８８において、制御信号生成部１２２は、パルス判定処理をする。
その後、消灯工程Ｓ６５３に戻る。
【００６２】
図１６は、この実施の形態における照明器具８００の動作の一例を示すタイミング図である。
【００６３】
時刻ｔ１において、受光部１１０が光を受光し、信号判定部１２１が経過時間の測定を開始する。時刻ｔ２において、信号判定部１２１は、判定信号を“Ｈ”にする。制御信号生成部１２２は、判定信号の独立したパルスが開始したと判定し、時刻ｔ３において、制御信号を“予熱”→“始動”→“高出力点灯”の順に切り替える。これにより、ランプＬＡが点灯する。
時刻ｔ４において、信号判定部１２１が判定信号を“Ｌ”にし、制御信号生成部１２２は、判定信号の独立したパルスが終了したと判定する。
時刻ｔ５において、受光部１１０が光の受光を終了し、信号判定部１２１は、一続きの受光が終了したと判定する。
【００６４】
その後、受光部１１０が光を受光すると、制御信号生成部１２２は、制御信号を、“中出力点灯”→“低出力点灯”→“消灯”の順に、一段階ずつ切り替える。
【００６５】
なお、調光レベルは、三段階でなくてもよく、「高出力」「低出力」の二段階であってもよいし、もっと多くてもよい。また、無段階の連続調光であってもよい。
【００６６】
無段階の連続調光とする場合、例えば、利用者が照射装置８５０を使って受光部１１０を照らしている間、ランプＬＡの明るさを連続的に変化させ、ちょうどよい明るさになったときに、利用者が受光部１１０を照らすのを止めると、その明るさに設定されるという操作手順が考えられる。
そのような機能を実現するためには、例えば、以下のような構成とする。
信号判定部１２１は、受光部１１０が光を受光している間、判定信号を“Ｈ”にする。
制御信号生成部１２２は、判定信号が“Ｈ”である間、インバータ回路２３０が生成する交流電圧の周波数を連続的に変えさせる制御信号を生成する。判定信号が“Ｌ”になった場合、制御信号生成部１２２は、そのときの周波数を記憶して、その後は、その周波数の交流電圧をインバータ回路２３０に生成させる制御信号を生成する。
【００６７】
このように、照明器具８００専用の赤外線リモコンなどの特殊な装置を使用せず、レーザーポインターやＬＥＤライト、テレビやエアコンを操作するための赤外線リモコンなどを照射装置８５０として使用して、照明器具８００を遠隔操作することができるので、照明の明るさを小まめに変えることができ、不要な明るさをカットすることにより、省エネ効果を高めることができる。
【００６８】
なお、受光部１１０は、ランプＬＡが放射する光が直接入らない位置に設けることが好ましい。例えば、受光部１１０は、ランプソケット８０７（遮光部）の影になる位置に設ける。
【００６９】
これにより、ランプＬＡの点灯により、受光部１１０が受光する光の強さが変化しないので、ランプＬＡが点灯しているときも、消灯しているときも、利用者が照射装置８５０を使って受光部１１０を照らしたことを正しく判定できる。
【００７０】
なお、ランプソケット８０７のような遮光部がなく、受光部１１０にランプＬＡが放射する光が直接入る場合には、ランプＬＡ点灯時と消灯時とで、信号判定部１２１が受光レベルが高いか低いかを判定する閾値を変え、ランプＬＡ点灯時は閾値を高く、ランプＬＡ消灯時は閾値を低くすることにすれば、ランプＬＡが放射した光に起因する誤判定を防ぐことができる。
また、ランプＬＡが点灯しているか消灯しているかだけでなく、周囲の明るさにより信号判定部１２１が受光レベルの閾値を変えることとしてもよい。例えば、受光部１１０は、過去数分〜数十分間の受光レベルの平均値を算出し、信号判定部１２１は、受光部１１０が算出した平均値を基準とした閾値を求め、受光レベルが高いか低いかを判定する。
【００７１】
この実施の形態における照明器具８００は、上記照明（ランプＬＡ）が発した光を上記受光部１１０が受光するのを防ぐ遮光部（ランプソケット８０７）を有するので、照明の点灯による誤動作を防ぐことができるという効果を奏する。
【００７２】
実施の形態４．
実施の形態４について、図１７〜図２０を用いて説明する。
この実施の形態における照明器具８００は、停電時に、内蔵する蓄電池を電源としてランプＬＡを点灯する非常灯点灯装置である。照明器具８００は、実施の形態２と同様、照明制御装置１００と一体であり、受光部１１０を有する。
【００７３】
図１７は、この実施の形態における照明器具８００の機能ブロックの構成を示すブロック構成図である。
なお、実施の形態１で説明したブロックと共通する部分については、同一の符号を付し、ここでは説明を省略する。
【００７４】
照明器具８００は、照明制御装置１００、平常時照明点灯装置２０１、非常時照明点灯装置２０２、蓄電池２０３を有する。
【００７５】
平常時照明点灯装置２０１は、平常時において、交流電源ＡＣを電源として、ランプＬＡを点灯する。
非常時照明点灯装置２０２は、平常時において、交流電源ＡＣを電源として、蓄電池２０３を充電する。非常時照明点灯装置２０２は、交流電源ＡＣから交流電圧を入力しなくなると、停電と判断し、蓄電池２０３を電源として、ランプＬＡを点灯する。
平常時照明点灯装置２０１と非常時照明点灯装置２０２とは、交流電源ＡＣから見て、並列に電気接続している。
【００７６】
照明制御装置１００は、受光部１１０、マイコン１２０（信号判定部１２１、制御信号生成部１２２）、点灯制御部１４０を有する。
点灯制御部１４０は、平常時照明点灯装置２０１及び非常時照明点灯装置２０２から見て、交流電源ＡＣと直列に電気接続したスイッチを有する。点灯制御部１４０のスイッチがオフの場合、停電時と同様、平常時照明点灯装置２０１及び非常時照明点灯装置２０２は、交流電源ＡＣから交流電圧を入力しなくなる。このため、停電時に、照明器具８００が正しく動作するかを点検することができる。
【００７７】
信号判定部１２１は、受光部１１０が生成した受光信号に基づいて、判定信号を生成する。信号判定部１２１は、受光部１１０が生成した受光信号を入力し、入力した受光信号が表わす受光レベルが、所定の時間より長く高いレベルだった場合に、判定信号“Ｈ”を出力する。その後、受光レベルが低いレベルになった場合、信号判定部１２１は、判定信号“Ｌ”を出力する。
【００７８】
制御信号生成部１２２は、信号判定部１２１が生成した判定信号に基づいて、点灯制御部１４０のオンオフを制御する制御信号を生成する。制御信号生成部１２２は、信号判定部１２１が生成した判定信号を入力し、判定信号が“Ｈ”である場合に、点灯制御部１４０のスイッチをオフにする制御信号（以下「“点検”」と呼ぶ。）を生成し、判定信号が“Ｌ”である場合に、点灯制御部１４０のスイッチをオンにする制御信号（以下「“通常”」と呼ぶ。）を生成する。
【００７９】
図１８は、この実施の形態における信号判定部１２１が、判定信号を生成する信号判定処理の流れを示すフローチャート図である。
【００８０】
初期化工程Ｓ６１１〜受光時間判定工程Ｓ６１５は、実施の形態１で説明した工程と共通なので、ここでは説明を省略する。
判定信号開始工程Ｓ６１６において、信号判定部１２１は、判定信号“Ｈ”を生成し、出力する。
受光終了判定工程Ｓ６２０において、信号判定部１２１は、受光部１１０が生成した受光信号を入力し、入力した受光信号に基づいて、受光レベルが高いか低いか判定する。
受光レベルが高いと判定した場合、受光終了判定工程Ｓ６２０を繰り返す。
受光レベルが低いと判定した場合、判定信号終了工程Ｓ６２１へ進む。
判定信号終了工程Ｓ６２１において、信号判定部１２１は、判定信号“Ｌ”を生成し、出力する。その後、受光開始判定工程Ｓ６１２に戻る。
【００８１】
図１９は、この実施の形態における制御信号生成部１２２が、制御信号を生成する制御信号生成処理の流れを示すフローチャート図である。
【００８２】
判定工程Ｓ６４１において、制御信号生成部１２２は、信号判定部１２１が生成した判定信号を入力し、入力した判定信号が“Ｈ”か“Ｌ”かを判定する。
判定信号が“Ｌ”である場合、通常出力工程Ｓ６４２へ進む。
判定信号が“Ｈ”である場合、点検出力工程Ｓ６４３へ進む。
通常出力工程Ｓ６４２において、制御信号生成部１２２は、制御信号“通常”を生成し、出力する。これにより、点灯制御部１４０がオフになり、非常時照明点灯装置２０２が蓄電池２０３を電源としてランプＬＡを点灯する。その後、判定工程Ｓ６４１に戻る。
点検出力工程Ｓ６４３において、制御信号生成部１２２は、制御信号“点検”を生成し、出力する。これにより、点灯制御部１４０がオンになり、平常時なら、平常時照明点灯装置２０１が交流電源ＡＣを電源としてランプＬＡを点灯あるいは消灯し、停電時なら、非常時照明点灯装置２０２が蓄電池２０３を電源としてランプＬＡを点灯する。その後、判定工程Ｓ６４１に戻る。
【００８３】
図２０は、この実施の形態における照明器具８００の動作の一例を表わすタイミング図である。
【００８４】
時刻ｔ１において、受光部１１０が光を受光し、信号判定部１２１が経過時間の測定を開始する。時刻ｔ２において、信号判定部１２１は、判定信号を“Ｈ”にする。制御信号生成部１２２は、時刻ｔ３において、制御信号を“点検”にする。
時刻ｔ４において、受光部１１０が光の受光を終了し、信号判定部１２１は、判定信号を“Ｌ”にする。制御信号生成部１２２は、時刻ｔ５において、制御信号を“通常”にする。
【００８５】
このように、利用者が照射装置８５０を使って受光部１１０を照らすことにより、照明器具８００が停電時に正常に動作するかを点検することができる。
【００８６】
なお、受光部１１０の受光範囲は、実施の形態１で説明したのと同様、遮光部１１３により所定の範囲に制限することが好ましい。例えば、受光部１１０が誤検出したことにより非常灯点灯装置の蓄電池２０３の点検をすると、蓄電池２０３が放電する。このように利用者が意図しない点検を行ったことにより、蓄電池２０３が十分に充電されていないときに災害が発生すると、非常点灯が必要とされる所定時間継続できなくなるので、受光部１１０の受光範囲は、実施の形態１で説明したよりも狭く、５度〜１０度程度の範囲とすることが、特に好ましい。
【図面の簡単な説明】
【００８７】
【図１】実施の形態１における照明器具８００及び照明制御装置１００の外観を示す斜視図。
【図２】実施の形態１における照明器具８００及び照明制御装置１００の機能ブロックの構成を示すブロック構成図。
【図３】実施の形態１における受光部１１０の構造を示す断面図。
【図４】実施の形態１における信号判定部１２１が、判定信号を生成する信号判定処理の流れを示すフローチャート図。
【図５】実施の形態１における制御信号生成部１２２が、判定信号の独立したパルスを判定するパルス判定処理の流れを示すフローチャート図。
【図６】実施の形態１における制御信号生成部１２２が、制御信号を生成する制御信号生成処理の流れを示すフローチャート図。
【図７】実施の形態１における照明制御装置１００の動作の一例を示すタイミング図。
【図８】実施の形態２における照明器具８００の外観を示す斜視図。
【図９】実施の形態２における照明器具８００の内部構造を示す分解斜視図。
【図１０】実施の形態２における照明器具８００の機能ブロックの構成を示すブロック構成図。
【図１１】実施の形態２における制御信号生成部１２２が、制御信号を生成する制御信号生成処理の流れを示すフローチャート図。
【図１２】実施の形態２における照明器具８００の動作の一例を示すタイミング図。
【図１３】実施の形態３における照明器具８００の外観を示す斜視図。
【図１４】実施の形態３における照明器具８００の機能ブロックの構成を示すブロック構成図。
【図１５】実施の形態３における制御信号生成部１２２が、制御信号を生成する制御信号生成処理の流れを示すフローチャート図。
【図１６】実施の形態３における照明器具８００の動作の一例を示すタイミング図。
【図１７】実施の形態４における照明器具８００の機能ブロックの構成を示すブロック構成図。
【図１８】実施の形態４における信号判定部１２１が、判定信号を生成する信号判定処理の流れを示すフローチャート図。
【図１９】実施の形態４における制御信号生成部１２２が、制御信号を生成する制御信号生成処理の流れを示すフローチャート図。
【図２０】実施の形態４における照明器具８００の動作の一例を表わすタイミング図。
【符号の説明】
【００８８】
１００  照明制御装置、１１０  受光部、１１１  基板、１１２  受光素子、１１３  遮光部、１１４  開口部、１２０  マイコン、１２１  信号判定部、１２２  制御信号生成部、１３０  制御電源回路、１４０  点灯制御部、１４１，１４２  スイッチ、２００  照明点灯装置、２０１  平常時照明点灯装置、２０２  非常時照明点灯装置、２０３  蓄電池、２１０  整流回路、２２０  力率改善回路、２２５  ＰＦＣ、２３０  インバータ回路、２３５  ドライブ回路、８００  照明器具、８０１  引掛けシーリング、８０２  電源コード、８０３  ワイヤ、８０４  セード、８０５  本体、８０６  アダプタ、８０７  ランプソケット、８０８  遮光部、８５０  照射装置、ＡＣ  交流電源、Ｃ２４，Ｃ４２，Ｃ４３  コンデンサ、Ｄ２３  ダイオード、ＤＢ  ダイオードブリッジ、Ｌ２１，Ｌ４１  コイル、ＬＡ，ＬＡ１  ランプ、ＬＡ２  保安灯、Ｑ２２，Ｑ３１，Ｑ３２  スイッチング素子、ＳＷ  スイッチ。
【図１】
2009259540.tif 000003
【図２】
2009259540.tif 000004
【図３】
2009259540.tif 000005
【図４】
2009259540.tif 000006
【図５】
2009259540.tif 000007
【図６】
2009259540.tif 000008
【図７】
2009259540.tif 000009
【図８】
2009259540.tif 000010
【図９】
2009259540.tif 000011
【図１０】
2009259540.tif 000012
【図１１】
2009259540.tif 000013
【図１２】
2009259540.tif 000014
【図１３】
2009259540.tif 000015
【図１４】
2009259540.tif 000016
【図１５】
2009259540.tif 000017
【図１６】
2009259540.tif 000018
【図１７】
2009259540.tif 000019
【図１８】
2009259540.tif 000020
【図１９】
2009259540.tif 000021
【図２０】
2009259540.tif 000022